(57)【要約】【課題】従来より水圧転写システムの生産性を高くすることが可能な水圧転写システムの活性剤塗布装置の提供を目的とする。【解決手段】本発明の水圧転写システム１０の活性剤塗布装置３０では、予め第１及び第２のテーブル４１，５１上に新たな活性剤液１９を貯留した活性剤液収容器３５を載置して待機しておき、第１及び第２のテーブル４１，５１を支持する第１テーブル昇降機構４０等の機構を動かし、第１と第２のテーブル４１，５１を入れ替えるようにして活性剤液１９の交換を行うので、効率よく活性剤液の交換を行うことができ、水圧転写システム１０の生産性を高くすることが可能になる。【選択図】図２
2016128213.tif 000002
【特許請求の範囲】
【請求項１】
水圧転写槽に向けて送給される水圧転写フィルムを下方に押圧する上ローラと、
前記上ローラとの間で前記水圧転写フィルムを挟んだ状態で前記上ローラに対して対称回転する下ローラとを有し、
活性剤液収容器に貯留した活性剤液に前記下ローラを浸漬させて回転させることで前記活性剤液を前記水圧転写フィルムに塗布し、前記水圧転写フィルムに印刷されている模様の塗料を前記水圧転写フィルムから分離し易くする水圧転写システムの活性剤塗布装置において、
前記活性剤液収容器が載置される第１テーブルを上下動可能に支持して、その可動範囲の上端位置で前記第１テーブル上の前記活性剤液収容器内の前記活性剤液に前記下ローラを浸漬させる一方、下端位置で前記下ローラから前記活性剤液収容器を下方に離間させる第１テーブル昇降機構と、
前記活性剤液収容器が載置される第２テーブルを有し、前記下端位置の前記第１テーブルの上方領域に対して前記第２テーブルを側方から進退させるように横移動可能に支持する第２テーブル横移動機構と、
前記第２テーブル横移動機構を上下動可能に支持し、前記下端位置の前記第１テーブルの前記上方領域内に前記第２テーブルが配置されている状態で、前記第２テーブル横移動機構を上方に移動して、前記第２テーブル上の前記活性剤液収容器内の前記活性剤液に前記下ローラを浸漬させることが可能な第２テーブル昇降機構とを備えた水圧転写システムの活性剤塗布装置。
【請求項２】
前記第２テーブル横移動機構には、前記第２テーブルの下方に配置されたベース部材と、前記ベース部材に下端部を回転可能に連結される一方、前記第２テーブルに上端部を回転可能に連結されて互いに平行に延びた複数のリンクとを備えてなり、前記複数のリンクが前記第１テーブルの前記上方領域側に傾いてその上方領域内に前記第２テーブルを位置させる第１姿勢と、前記複数のリンクが前記第１テーブルの前記上方領域と反対側に傾いて前記第２テーブルを前記第１テーブルの前記上方領域外に位置させる第２姿勢とに姿勢変更される平行リンク機構が備えられ、
前記第２テーブル昇降機構が、前記ベース部材を上下動可能に支持している請求項１に記載の水圧転写システムの活性剤塗布装置。
【請求項３】
前記ベース部材は、前記活性剤液収容器が載置されるベーステーブルであり、前記第２テーブル上の前記活性剤液収容器内の前記活性剤液に前記下ローラを浸漬させた状態で前記ベーステーブルの上面と前記第１テーブルの上面とが面一になる請求項２に記載の水圧転写システムの活性剤塗布装置。
【請求項４】
前記第２テーブル横移動機構には、前記リンクの回動範囲の端部でリンクの回動速度を徐々に減速するダンパーを備えた請求項２又は３に記載の水圧転写システムの活性剤塗布装置。
【発明の詳細な説明】
【技術分野】
【０００１】
本発明は、水圧転写システムで使用する水圧転写フィルムに活性剤液を塗布する水圧転写システムの活性剤塗布装置に関する。
【背景技術】
【０００２】
従来、この種の活性剤塗布装置として、水圧転写槽に向けて送給される水圧転写フィルムを上ローラと下ローラとで挟み、下ローラの下方に配置されている活性剤液収容器内の活性剤液を下ローラを介して水圧転写フィルムに塗布する構造のものが知られている（例えば、特許文献１参照）。
【先行技術文献】
【特許文献】
【０００３】
【特許文献１】特開平６−３１２５７１号公報（段落［０００４］，図１）
【発明の概要】
【発明が解決しようとする課題】
【０００４】
ところで、下ローラは長時間使用すると汚れるため、活性剤液収容器と共に定期的に清掃する必要がある。また、水圧転写フィルムの種類を変更したときも、下ローラ及び活性剤液収容器の清掃が必要になり、水圧転写フィルムの種類に応じて下ローラ及び活性剤液収容器の種類を交換する場合もある。しかしながら、上述した従来の水圧転写システムの活性剤塗布装置では、上記した下ローラ及び活性剤液収容器の清掃作業及び交換作業の間、長時間に亘って水圧転写システム全体を停止しなければならず、生産性が低下することが問題になっていた。
【０００５】
本発明は、上記事情に鑑みてなされたもので、従来より水圧転写システムの生産性を高くすることが可能な水圧転写システムの活性剤塗布装置の提供を目的とする。
【課題を解決するための手段】
【０００６】
上記目的を達成するためになされた請求項１の発明は、水圧転写槽に向けて送給される水圧転写フィルムを下方に押圧する上ローラと、前記上ローラとの間で前記水圧転写フィルムを挟んだ状態で前記上ローラに対して対称回転する下ローラとを有し、活性剤液収容器に貯留した活性剤液に前記下ローラを浸漬させて回転させることで前記活性剤液を前記水圧転写フィルムに塗布し、前記水圧転写フィルムに印刷されている模様の塗料を前記水圧転写フィルムから分離し易くする水圧転写システムの活性剤塗布装置において、前記活性剤液収容器が載置される第１テーブルを上下動可能に支持して、その可動範囲の上端位置で前記第１テーブル上の前記活性剤液収容器内の前記活性剤液に前記下ローラを浸漬させる一方、下端位置で前記下ローラから前記活性剤液収容器を下方に離間させる第１テーブル昇降機構と、前記活性剤液収容器が載置される第２テーブルを有し、前記下端位置の前記第１テーブルの上方領域に対して前記第２テーブルを側方から進退させるように横移動可能に支持する第２テーブル横移動機構と、前記第２テーブル横移動機構を上下動可能に支持し、前記下端位置の前記第１テーブルの前記上方領域内に前記第２テーブルが配置されている状態で、前記第２テーブル横移動機構を上方に移動して、前記第２テーブル上の前記活性剤液収容器内の前記活性剤液に前記下ローラを浸漬させることが可能な第２テーブル昇降機構とを備えた水圧転写システムの活性剤塗布装置である。
【０００７】
請求項２の発明は、前記第２テーブル横移動機構には、前記第２テーブルの下方に配置されたベース部材と、前記ベース部材に下端部を回転可能に連結される一方、前記第２テーブルに上端部を回転可能に連結されて互いに平行に延びた複数のリンクとを備えてなり、前記複数のリンクが前記第１テーブルの前記上方領域側に傾いてその上方領域内に前記第２テーブルを位置させる第１姿勢と、前記複数のリンクが前記第１テーブルの前記上方領域と反対側に傾いて前記第２テーブルを前記第１テーブルの前記上方領域外に位置させる第２姿勢とに姿勢変更される平行リンク機構が備えられ、前記第２テーブル昇降機構が、前記ベース部材を上下動可能に支持している請求項１に記載の水圧転写システムの活性剤塗布装置である。
【０００８】
請求項３の発明は、前記ベース部材は、前記活性剤液収容器が載置されるベーステーブルであり、前記第２テーブル上の前記活性剤液収容器内の前記活性剤液に前記下ローラを浸漬させた状態で前記ベーステーブルの上面と前記第１テーブルの上面とが面一になる請求項２に記載の水圧転写システムの活性剤塗布装置である。
【０００９】
請求項４の発明は、前記第２テーブル横移動機構には、前記リンクの回動範囲の端部でリンクの回動速度を徐々に減速するダンパーを備えた請求項２又は３に記載の水圧転写システムの活性剤塗布装置である。
【発明の効果】
【００１０】
［請求項１の発明］
請求項１の発明によれば、第１テーブル上の活性剤液収容器内の活性剤液に下ローラを浸漬させて一定期間使用した後に、活性剤液の交換作業を行う場合には、新しい活性剤液を貯留した活性剤液収容器を第２テーブル上に載置して待機させておく。そして、第１テーブル昇降機構にて第１テーブルを下端位置まで下げてから、第２テーブル横移動機構により第１テーブルの上方領域に第２テーブルを側方から進入させる。そして、第２テーブル昇降機構にて第２テーブル横移動機構を上昇させて第２テーブル上の活性剤液収容器内の活性剤液に下ローラを浸漬させればよい。また、次に、活性剤液を交換する場合は、下端位置の第１テーブル上に新しい活性剤液を貯留した活性剤液収容器を載置して待機させておき、上記動作と逆の順序で、第２テーブル昇降機構、第２テーブル横移動機構、第１テーブル昇降機構を動作させて第１テーブル上の活性剤液収容器内の活性剤液に下ローラを浸漬させた状態にすればよい。このように、本発明では、予め第１及び第２のテーブル上に新たな活性剤液を貯留した活性剤液収容器を載置して待機しておき、第１及び第２のテーブルを支持する第１テーブル昇降機構等の機構を動かし、第１と第２のテーブルを入れ替えるようにして活性剤液の交換を行うので、効率よく活性剤液の交換を行うことができ、水圧転写システムの生産性を高くすることが可能になる。
【００１１】
［請求項２の発明］
請求項２の発明によれば、第２テーブルが平行リンク機構によって一定の水平姿勢に保ちかつ円弧軌跡を描いて第１テーブルの上方領域側に対して側方から進退する。これにより、第２テーブルは、移動動作の終了時には、水平方向の速度成分と上下方向の速度成分とを有した動作となって停止することになり、単に第２テーブルを水平にスライド移動して水平成分のみを有する動作のままで停止する場合に比べて活性剤液が横Ｇを受け難くなり、活性剤液が活性剤液収容器から零れ難くなる。
【００１２】
［請求項３の発明］
請求項３の発明によれば、第２テーブル上の活性剤液収容器内の活性剤液に下ローラを浸漬させた状態で第２テーブル横移動機構に備えたベーステーブルの上面と第１テーブルの上面とが面一になるので、ベーステーブルと第１テーブルとの間で活性剤液収容器をスライド移動して効率良く、活性剤液収容器の交換作業を行うことができる。
【００１３】
［請求項４の発明］
請求項４の発明によれば、第２テーブルを横移動させて停止するときの衝撃をダンパーによって抑えて、第２テーブル上の活性剤液収容器から活性剤液が零れることを防ぐことができる。
【図面の簡単な説明】
【００１４】
【図１】本発明の一実施形態に係る水圧転写システムの全体の概念図
【図２】第２テーブルが第１姿勢で上端位置に配置された状態の活性剤塗布装置の概念図
【図３】第２テーブルが第１姿勢で下端位置に配置された状態の活性剤塗布装置の概念図
【図４】第１及び第２のテーブルが下端位置に配置された状態の活性剤塗布装置の概念図
【図５】第１テーブルが上端位置に配置された状態の活性剤塗布装置の概念図
【発明を実施するための形態】
【００１５】
以下、本発明の一実施形態を図１〜図５に基づいて説明する。図１には、本実施形態の水圧転写システム１０の全体構造が概念的に示されている。水圧転写システム１０は、水圧転写槽１１とワーク搬送部１２とフィルム供給部１３とを備えている。水圧転写槽１１は、上面開放の直方体状をなし、図１における左寄り位置に区画壁１１Ａを備えている。そして、水圧転写槽１１のうち区画壁１１Ａより右側の槽本体部１１Ｈに水が満たされ、そこから溢れた水が区画壁１１Ａより左側の予備部１１Ｂに受容される。また、その予備部１１Ｂに受容された水は循環ポンプ１４によって槽本体部１１Ｈへと戻され、これにより槽本体部１１Ｈ内の水面に予備部１１Ｂに向かって流れる表面流１１Ｒが形成されるようになっている。
【００１６】
ワーク搬送部１２は、水圧転写槽１１の上方で左右に並べられた１対の支持ローラ１２Ａ，１２Ａに搬送ベルト１２Ｈを差し渡し、その搬送ベルト１２Ｈの一部を内側から押圧ローラ１２Ｂにて押して水圧転写槽１１側に突出させた構造をなしている。また、搬送ベルト１２Ｈは、槽本体部１１Ｈの水面との対向面が、上記した表面流１１Ｒと同一方向に移動するように回転駆動されるようになっている。さらに、搬送ベルト１２Ｈには、複数のワーク治具１５が備えられ、図示しないロボットにてワーク治具１５にワークＷを着脱することができる。
【００１７】
フィルム供給部１３には、芯材１７に水圧転写フィルム１８を巻回してなるフィルムロール１８Ｒが２つ横並びに配置されて、回転可能に支持されている。水圧転写フィルム１８は、水溶性の組成物で構成され、表側面に模様（例えば、木目模様、マーブル模様）が塗料にて印刷されている。また、フィルム供給部１３には、フィルムロール１８Ｒ，１８Ｒを上方から覆うようにフィルムコンベア１６が備えられ、そのフィルムコンベア１６は、水圧転写槽１１の右側端部に向かって緩やかに下るように傾斜している。
【００１８】
さらには、フィルム供給部１３には、任意の一方のフィルムロール１８Ｒから引き出した水圧転写フィルム１８をその印刷面（上記した表側面）を下にした状態で水圧転写槽１１から離れる側に取り回してから上側に折り返し、フィルムコンベア１６上へと案内する複数のガイドローラが備えられている。
【００１９】
そして、水圧転写フィルム１８は、フィルムコンベア１６上に印刷面を上にした状態に配置されて、水圧転写槽１１の槽本体部１１Ｈ内に送給される。これにより、水圧転写フィルム１８が水に溶けて塗料が水圧転写フィルム１８から分離し、水圧転写槽１１内の水面に浮かぶ。その状態で水圧転写槽１１内にワーク搬送部１２によりワークＷを突入させることで、ワークＷに塗料による模様が水圧転写される。
【００２０】
さて、フィルム供給部１３には、水圧転写フィルム１８から塗料を分離し易くするために活性剤液１９を水圧転写フィルム１８に塗布する活性剤塗布装置３０が備えられている。詳細には、フィルムロール１８Ｒから水圧転写フィルム１８が水圧転写槽１１から離れる側に引き出された部分には、水圧転写フィルム１８を下方から支持する１対のガイドローラ２１，２２が備えられると共に、それらガイドローラ２１，２２の間で水圧転写フィルム１８を下方に向けて付勢するテンショナー２３が設けられている。そして、そのテンショナー２３より下流側のガイドローラ２２と、水圧転写フィルム１８が上側に折り返される部分のガイドローラ２４との間に活性剤塗布装置３０が配置されている。
【００２１】
図４に示すように、活性剤塗布装置３０は、ガイドローラ２２，２４との間で水圧転写フィルム１８を挟んで押し下げる上ローラ３３及び下ローラ３４を有し、下ローラ３４の下方に、活性剤液１９を貯留した活性剤液収容器３５を載置するための第１テーブル４１を備えている。活性剤液収容器３５は、上面が開放した横長のトレイ構造をなし、１対の横長の側壁の上端部を内側に直角曲げしてなる１対の零れ防止部３５Ａ，３５Ａを備えている。
【００２２】
第１テーブル４１は、活性剤液収容器３５より一周り大きい横長の長方形の平板構造をなし、第１テーブル昇降機構４０によって上下動可能に支持されている。具体的には、第１テーブル４１の長手方向の両端部から下方に１対の連結ロッド４２（図４には、一方の連結ロッド４２のみが示されている）が垂下され、それら１対の連結ロッド４２に対応した１対の支柱４３（図４には、一方の支柱４３のみが示されている）が、工場の床面に敷設されたベース板３０Ｂから起立して各連結ロッド４２に図４の左側方から対向している。そして、対応した連結ロッド４２と支柱４３とに、１対の平行なリンク４４，４４の両端部が回動可能に連結されて平行リンク機構４５が構成され、これにより、第１テーブル４１が水平姿勢を維持して上下動するようになっている。
【００２３】
また、支柱４３と所定のリンク４４との連結部には、例えば、エアモータ４６が取り付けられていてエアー供給ライン４６Ｌから圧縮エアーを受けている。そして、エアー供給ライン４６Ｌの途中に設けた第１操作バルブ４６Ｖを作業員が手動にてオンオフ操作することで、第１テーブル４１が図４に示した下端位置と、図５に示した上端位置との何れかに移動して各位置に保持される。また、上端位置の第１テーブル４１上に活性剤液収容器３５が載置されていると、その活性剤液収容器３５の零れ防止部３５Ａ，３５Ａの間に下ローラ３４の下端部が突入して活性剤液１９に浸され、この状態で下ローラ３４が回転することで水圧転写フィルム１８に活性剤液１９が塗布される。
【００２４】
図２に示すように、第１テーブル４１が下端位置に移動すると、第１テーブル４１上の活性剤液収容器３５と下ローラ３４との間に、テーブル進退領域Ｒ１が形成される。本実施形態の活性剤塗布装置３０には、テーブル進退領域Ｒ１に対して第２テーブル５１を側方から進退させるための第２テーブル横移動機構５０と、その第２テーブル５１を上下動させるための第２テーブル昇降機構６０とが備えられている。
【００２５】
第２テーブル５１は、第１テーブル４１と略同一形状をなし、その第２テーブル５１の下方に第１テーブル４１及び第２テーブル５１と略同一形状のベーステーブル５２が備えられている。ベーステーブル５２の下面からは直動ロッド５２Ｒが垂下され、直動ロッド５２Ｒがベース板３０Ｂから起立した直動支持スリーブ５３に直動可能に支持されている。また、ベース板３０Ｂとベーステーブル５２との間には、エアシリンダー６２Ｃに直動ロッド６２Ｒを挿入してなるアクチュエータ６２が取り付けられてエアー供給ライン６２Ｌから圧縮エアーを受けている。そして、エアー供給ライン６２Ｌの途中に設けた第２操作バルブ６２Ｖを作業員が手動にてオンオフ操作することで、ベーステーブル５２が図３に示した下端位置と、図２に示した上端位置との何れかに移動して各位置に保持される。また、ベーステーブル５２が上端位置に配置され、第１テーブル４１が下端位置に配置されたときには、それらベーステーブル５２の上面と第１テーブル４１の上面とが面一になって隣接する。
【００２６】
第２テーブル５１とベーステーブル５２とに、１対の平行なリンク５４，５４の両端部が回動可能に連結されて平行リンク機構５５が構成されている。これにより、第２テーブル５１が円弧軌道を描きながら水平姿勢を維持して横移動するようになっている。また、ベーステーブル５２と所定のリンク５４との連結部には、第１テーブル昇降機構と同様に、エアモータ５６が取り付けられていて、エア供給ライン５６Ｌから圧縮エアーを受けている。そして、エア供給ライン５６Ｌの途中に設けた第３操作バルブ５６Ｖを手動にてオンオフ操作することで、第２テーブル５１が図３に示したテーブル進退領域Ｒ１内に位置する第１姿勢と、図４に示したテーブル進退領域Ｒ１外に位置する第２姿勢との何れかに移動して各位置で保持される。また、図２に示すように第２姿勢を保持した上端位置の第２テーブル５１上に活性剤液収容器３５が載置されていると、活性剤液収容器３５内に下ローラ３４が突入して活性剤液１９に浸される。
【００２７】
また、ベーステーブル５２と所定のリンク５４との連結部には、図示しないダンパーが備えられ、第２テーブル５１を移動させて停止するときの衝撃を抑えている。なお、第１テーブル昇降機構４０における支柱４３とリンク４４との連結部においても、同様にダンパーが備えられている。
【００２８】
本実施形態の水圧転写システム１０の活性剤塗布装置３０の構成に関する説明は、以上である。次に、この活性剤塗布装置３０の作用効果について説明する。例えば、図５に示すように、第１テーブル４１上に載置された活性剤液収容器３５を用いて水圧転写システム１０が運転されている場合には、活性剤液１９の交換に備えて第２テーブル５１上に新しい活性剤液１９を貯留した活性剤液収容器３５を載置して待機させておく。そして、第１テーブル４１上の活性剤液収容器３５の使用期間が一定の規定時間を過ぎたら、水圧転写システム１０を停止して、第１テーブル昇降機構４０にて第１テーブル４１を下端位置まで下げる。次いで、図３に示すように第２テーブル横移動機構５０により第１テーブル４１の上方領域（テーブル進退領域Ｒ１）に第２テーブル５１を側方から進入させる。それから、図２に示すように第２テーブル昇降機構６０にて第２テーブル横移動機構５０を上昇させて第２テーブル５１上の活性剤液収容器３５内の活性剤液１９に下ローラ３４を浸漬させた状態にして、水圧転写システム１０を起動する。水圧転写システム１０の起動後に、第１テーブル４１上の活性剤液収容器３５をベーステーブル５２上にスライド移動して仮置きしてから、図示しない台車に移す。次いで、新たに用意した活性剤液収容器３５をベーステーブル５２上に仮置きしてから第１テーブル４１上にスライド移動し、次の活性剤液１９の交換時に備えておく。
【００２９】
次に活性剤液１９を交換する場合は、前述の交換動作と逆の順序で、第２テーブル昇降機構６０、第２テーブル横移動機構５０、第１テーブル昇降機構４０を動作させて第１テーブル４１上の活性剤液収容器３５内の活性剤液１９に下ローラ３４を浸漬させる。
【００３０】
このように、本実施形態の活性剤塗布装置３０では、予め第１及び第２のテーブル４１，５１上に新たな活性剤液１９を貯留した活性剤液収容器３５を載置して待機しておき、第１及び第２のテーブル４１，５１を支持する第１テーブル昇降機構４０等の機構を動かし、第１と第２のテーブル４１，５１を入れ替えるようにして活性剤液１９の交換を行うので、効率よく活性剤液１９の交換を行うことができ、水圧転写システム１０の生産性を高くすることが可能になる。
【００３１】
また、本発明では、第２テーブル５１が、平行リンク機構５５によって水平姿勢を保ちかつ円弧軌跡を描いて移動するので、単にテーブルを水平にスライド移動して水平成分のみを有する動作のままで停止する場合に比べて活性剤液１９が横Ｇを受け難くなり、活性剤液１９が活性剤液収容器３５から零れ難くなる。
【００３２】
さらに、第１及び第２のテーブルには、ダンパーが備えられているので、移動させて停止するときの衝撃を抑えて、第１及び第２のテーブル４１，５１上の活性剤液収容器３５から活性剤液１９が零れることを防ぐことができる。
【００３３】
［他の実施形態］
本発明は、実施形態に限定されるものではなく、例えば、以下に説明するような実施形態も本発明の技術的範囲に含まれ、さらに、下記以外にも要旨を逸脱しない範囲内で種々変更して実施することができる。
【００３４】
（１）前記実施形態の第１テーブル昇降機構４０では、連結ロッド４２と支柱４３とを平行リンク機構４５によって連結した構成になっていたが、第２テーブル昇降機構６０と同様に、ベース板３０Ｂから起立した直動支持スリーブに第１テーブル４１の下面から垂下した直動ロッドを直動可能に支持した構成であってもよい。
【００３５】
（２）前記実施形態では、第２テーブル昇降機構６０にアクチュエータ６２を用いていたが、ボールねじ機構を用いた構成であってもよい。
【００３６】
（３）前記実施形態では、エアモータ４６，５６を用いていたが、油圧モータであってもよい。
【符号の説明】
【００３７】
１０    水圧転写システム
１１    水圧転写槽
１８    水圧転写フィルム
１９    活性剤液
３０    活性剤塗布装置
３３    上ローラ
３４    下ローラ
３５    活性剤液収容器
３５Ａ    零れ防止部
４０    第１テーブル昇降機構
４１    第１テーブル
４４，５４    リンク
４５，５５    平行リンク機構
５０    第２テーブル横移動機構
５１    第２テーブル
５２    ベーステーブル（ベース部材）
６０    第２テーブル昇降機構
【図１】
2016128213.tif 000003
【図２】
2016128213.tif 000004
【図３】
2016128213.tif 000005
【図４】
2016128213.tif 000006
【図５】
2016128213.tif 000007